(57)【要約】【課題】ディスクを読み取るため定義された手順を使用して、ディスクの無許可コピーが識別しやすくなるように、光ディスクを形成する方法、および形成された光ディスクに関する。【解決手段】この方法は、トラックが一連のピットおよびランドを含むように、トラックに沿って一連の離隔したピットを形成することにより、ディスク中に、一連の０と１からなるディジタル・データをエンコードするステップを含み、このステップでは、前記定義された手順を使用してディスクを読み取る際に、前記ピットおよびランドのそれぞれが０または１として読み取られる。この方法は、定義された手順を使用してディスクを読み取る際に、ファジー領域が時には０として時には１として読み取られるように、トラック上に少なくとも１つのファジー領域を形成するさらなるステップを含む。好ましい手順では、ピットは第１強度で所与の光ビームを反射し、ランドは第２強度で所与の光を反射し、ファジー領域は第１強度と第２強度のほぼ中間の第３強度で所与の光を反射する。【選択図】  図１
2004523856.tif 000002
【特許請求の範囲】
【請求項１】
ディスクを読み取るため定義された手順とともに使用
される、ディスクの無許可コピーを識別しやすくするように、光ディスクを形成する方法であって、
トラックが一連のピットおよびランドを含むように、前記トラックに沿って一連の離隔したピットを形成することにより、ディスク中に、一連の０および１からなるディジタル・データをエンコードするステップであって、前記定義された手順を使用してディスクを読み取る際に、前記ピットおよびランドのそれぞれが０または１として読み取られるステップと、
前記定義された手順を使用してディスクを読み取る際に、ファジー領域が時には０として時には１として読み取られるように、トラック上に少なくとも１つのファジー領域を形成するステップとを含む方法。
【請求項２】
前記ピットが第１強度で所与の光ビームを反射し、前記ランドが第２強度で前記所与の光を反射し、前記ファジー領域が前記第１強度と前記第２強度のほぼ中間の第３強度で前記所与の光を反射する、請求項１に記載の方法。
【請求項３】
前記ランドが前記第２強度で前記所与の光を反射するように最低幅を有し、前記ファジー領域が前記第３強度で前記所与の光を反射するように前記最低幅よりも狭い幅を有する、請求項２に記載の方法。
【請求項４】
前記ファジー領域が、前記第３強度で前記所与の光を反射するように、複数の傾斜表面を含む、請求項２に記載の方法。
【請求項５】
前記ファジー領域がトラック上にピットを形成する、請求項１に記載の方法。
【請求項６】
前記ファジー領域がトラック上にランドを形成する、請求項１に記載の方法。
【請求項７】
事前に定義された読込み手順とともに使用される光ディスクであって、
一連のピットおよびランドを含むトラックを定義するデータ媒体であって、ディスクが定義された手順によって読み取られる際に、前記一連のピットおよびランドが０または１として読み取られるデータ媒体と、
トラック上の少なくとも１つのファジー領域であって、前記ファジー領域が前記定義された手順によって読み取られる際に、前記ファジー領域が時には０として時には１として読み取られるファジー領域と、
を備える光ディスク。
【請求項８】
前記ピットが第１強度で所与の光ビームを反射し、前記ランドが第２強度で所与の光ビームを反射し、前記ファジー領域が前記第１強度と前記第２強度のほぼ中間の第３強度で所与の光ビームを反射する、請求項７に記載の光ディスク。
【請求項９】
前記ランドが、前記第２強度で前記所与の光ビームを反射するように最低幅を有し、前記ファジー領域が前記第３強度で前記所与の光ビームを反射するように前記最低幅よりも狭い幅を有する、請求項８に記載の光ディスク。
【請求項１０】
前記ファジー領域が、前記第３強度で前記所与の光ビームを反射するように、複数の傾斜表面を含む、請求項８に記載の光ディスク。
【請求項１１】
光ディスクの無許可コピーを識別する方法であって、
トラックが一連の透明ピットと透明ランドを含むように、ディスクの前記トラックに沿って一連の透明ピットを形成することにより、ディスク中に０と１からなるディジタル・データをエンコードするステップと、
前記トラックの所定位置に少なくとも１つのファジー領域を形成するステップであって、前記ディスクが定義された手順によって読み取られる際に、前記透明ピットおよび前記透明ランドがすべて０および１として読み取られ、前記ファジー領域が時には０として時には１として読み取られるステップと、
前記トラックの前記所定位置を複数回読み取るステップを含む、前記定義された手順を使用して、ディスクの可能な無許可コピーを読み取るステップと、
前記定義された手順を使用して、前記所定位置が常に０として読み取られるか、または常に１として読み取られる場合に、前記コピーを無許可と識別するステップと
を含む方法。
【請求項１２】
前記エンコード・ステップが、前記透明ピットおよび前記透明ランドが第１強度または第２強度のいずれかで所与の光ビームを反射するように前記透明ピットおよび前記透明ランドを形成するステップを含み、
前記トラックに少なくとも１つのファジー領域を形成する前記ステップが、前記ファジー領域が前記第１強度と前記第２強度の間のほぼ中間である第３強度で前記所与の光ビームを反射するように、前記ファジー領域を形成するステップとを含む、
請求項１１に記載の方法。
【請求項１３】
前記ランドが、前記第２強度で前記所与の光ビームを反射するように最低幅を有し、前記ファジー領域が前記第３強度で前記所与の光ビームを反射するように前記最低幅よりも狭い幅を有する、請求項１２に記載の方法。
【請求項１４】
前記ファジー領域が、前記第３強度で前記所与の光ビームを反射するように、複数の傾斜表面を含む、請求項１２に記載の方法。
【請求項１５】
前記ディスクを読み取るための定義された手順とともに使用される、ディスクの無許可コピーを識別しやすくするように光ディスクを形成する方法であって、
各トラックが一連のピットおよびランドを含むように、各ディスクの前記トラックに沿って一連の離隔したピットを形成することにより、ディスク中に、一連の０および１からなるディジタル・データをエンコードするステップであって、定義された手順を使用してディスクを読み取る際に、前記ピットおよびランドのそれぞれが０または１として読み取られるステップと、
前記定義された手順を使用してディスクを読み取る際に、ファジー領域が時には０として時には１として読み取られるように、各ディスクのトラック上に少なくとも１つのファジー領域を形成するステップと、
各ディスクに、前記ディスクの前記少なくとも１つのファジー領域のアドレスを識別する変数を有するプログラムを与えるステップと、
前記異なるディスク上の前記プログラムの前記変数の位置を変えるステップと
を含む方法。
【請求項１６】
各ディスク上に前記変数の名前を与えるステップと、前記異なるディスク上で前記変数の名前を変えるステップをさらに含む、請求項１５に記載の方法。
【請求項１７】
各ディスク上の前記プログラムに、ファジー領域が１として読み取られた回数を示すヒット・パーセント値を与え、前記ディスク上の前記プログラム内における前記ヒット・パーセント値の位置を変えるステップをさらに含む、請求項１５に記載の方法。
【発明の詳細な説明】
【技術分野】
【０００１】
本発明は一般にＣＤＲＯＭ媒体のコピー保護に関する。より詳細には、本発明はＣＤタイプの記憶媒体に書かれた著作権付きのディジタル情報の不正なコピーおよび配布（すなわち「盗用」）の問題を対象とする。この所有権付きの情報にはオペレーティング・システム・ソフトウェア、アプリケーション・プログラム、娯楽ゲームなど各種のソフトウェア・プログラムが含まれる。
【背景技術】
【０００２】
今日の情報時代にソフトウェア・パッケージを商業的に配布する好ましい方法は、比較的安価で読取りの簡単なＣＤＲＯＭ媒体を使用するものである。データは、内径から始まり、次第に大きい半径に移るほぼ螺旋形の線に沿ってＣＤＲＯＭに記録される。データは中心線に沿って交互に現れるランドとピットからなるビット指示の形でディスクに記録され、各ランドまたはピットの弧の長さはデータ中の連続する「ゼロ」ビットの数を示す。ディスクに記録されるデータはバイナリからＥＦＭ（eight_to_fourteen modulation）として知られるフォーマットに変換される。ＥＦＭデータは螺旋に沿って一定の線速度（ＣＬＶ）で書き込まれ、ＥＦＭデータの「１」はランドからピットへの遷移またはピットからランドへの遷移を生じ、ＥＦＭデータの各「０」は遷移を生じない。
【０００３】
最近までこの手法はＣＤＲＯＭに書き込む機器が技術的に複雑で、極めて高価で容易には入手できないため「盗用（pirating）」から比較的安全であった。しかし、２〜３年前から、ＣＤ技術の進歩により、容易に入手でき安価な書込み可能ＣＤＲＯＭ機器が開発された。これらの書込み可能ＣＤＲＯＭドライブ、サポート用ソフトウェアおよびブランクＣＤＲＯＭは数百ドルで購入でき、ほとんどのパーソナル・コンピュータに容易にインストールできる。
【０００４】
読取り専用および追記型のＣＤＲＯＭが一般のユーザ記憶アプリケーションに使用できることは、個々のパーソナル・コンピュータ・ユーザおよび全体としてのコンピュータ業界にとって非常に好都合である。このディジタルおよびアナログ記憶技術は広い範囲のアナログおよびディジタル・アプリケーション向けの信頼できる安価な高容量記憶媒体を提供するが、同時に、この技術は所有権付きデータの不正複写を受けやすい。信頼できるコピー保護方法が開発されない限り、これらの利点は完全には達成されない。
【０００５】
この問題に対する現在の１つの解決策は、ソフトウェア・パッケージのインストール中に要求されるＣＤＲＯＭ媒体と制御番号を関連付けることによって間接的保護を行うものである。この制御番号は元のＣＤＲＯＭと共に提供されるが、容易にコピーされ、不正にコピーされたＣＤＲＯＭとともに配布される。
【０００６】
他の解決策は、アプリケーション・ソフトウェアに対する特別のまたは一時的なライセンスを与えることである。この手法は、追加の継続サポートを必要とし、不便で、より制限的で、配布がより高価である。この手法は大型システム用の広範囲なソフトウェア・パッケージのコピー保護を達成することができるが、個々のあるいはパーソナル・コンピューティング・ソフトウェアの配布には適用できない。
【発明の開示】
【発明が解決しようとする課題】
【０００７】
本発明の一目的は、ＣＤ型の記憶媒体の著作権付きディジタル情報を保護することである。
【０００８】
本発明の他の目的は、実施するのが容易であり、ＣＤＲＯＭの大量生産と両立でき、ほとんどフールプルーフなコピー保護を提供する、ＣＤ型記憶媒体上の著作権付きディジタル情報を保護する方法およびシステムを提供することである。
【０００９】
本発明のさらなる目的は、追加の配布コストを必要とせず、広い範囲のアプリケーション・ソフトウェア・パッケージに適用でき、ディジタル化オーディオおよびビデオ媒体にまで拡張可能な方法でＣＤ型記憶媒体の著作権付きディジタル情報を保護することである。
【課題を解決するための手段】
【００１０】
上記その他の目的は、ディスクを読み取るための定義された手順を使用して、ディスクの無許可コピーを識別しやすいように光ディスクを形成する方法、および形成された光ディスクによって達成される。この方法は、トラックが一連のピットおよびランドを含むように、トラックに沿って一連の離隔したピットを形成することにより、ディスク中に一連の０と１からなるディジタル・データをエンコードするステップを含み、このステップでは、前記定義された手順を使用してディスクを読み取る際に、前記ピットおよびランドのそれぞれが０または１として読み取られる。この方法は、定義された手順を使用してディスクを読み取る際に、ファジー領域が時には０として読み取られ、時には１として読み取られるように、トラックに少なくとも１つのファジー領域を形成するさらなるステップを含んでいる。好ましい手順により、ピットは第１強度で所与の光ビームを反射し、ランドは第２強度で所与の光ビームを反射し、ファジー領域は第１強度と第２強度のほぼ中間の第３強度で所与の光ビームを反射する。
【発明を実施するための最良の形態】
【００１１】
図１を参照すると、光ディスクを作成するため、サウンド信号でよいアナログ入力信号が、Ａ／Ｄコンバータ（図示せず）によって所定のディジタル・データに変換され、ディジタル・データがエンコーダ１２に入力される。これらのディジタル・データはエンコーダにより所定の変換ルールに基づいて波形ストリングに変換され、この波形ストリングがフォトモデュレータ１４に入力される。この波形ストリングはフォトモデュレータによって増幅され、レーザ発生装置（図示せず）を駆動する一連の記録コードに変換される。レーザ発生装置は一連の記録コードに応答して、強度変調された光ビームとしての一連の記録コードを担持する、レーザ・ビーム１６を発生する。
【００１２】
記録マスタ・ディスク２０にコーティングされたフォトレジストは、一連の記録コードを担持するレーザ・ビーム１６で露光されて、情報ピットになるべき露出部分が一連の記録コードに従って形成されるようになる。次いでフォトレジストは現像され、フォトレジスト上に情報ピット・パターンが形成される。情報ピット・パターンを有するフォトレジストを備える記録マスタ・ディスク２０から、公知のプロセスによって原盤（図示せず）が形成される。
【００１３】
図２および図３を参照すると、フォトレジストの上に形成された情報ピット・パターンの複製が、次いで原盤を金型として使用して、ポリカーボネート樹脂の射出成型によりポリカーボネート基板に転写される。したがって、ポリカーボネート基板に公知のプロセスを行うことによって、ピット２４とランド２６を所定の順序で有するＣＤ２２が得られる。任意の適当な手順がＣＤを読み取るために使用できる。たとえば、図４に表すように、ピットを「０」として読み取り、ランドは「１」として読み取ることができる。
【００１４】
ＣＤをコピーする手順を図５に示す。ＣＤ上の情報ピット列は、光ピックアップ３０のコンポーネントの１つであるレーザ要素から放出されるレーザ・ビームで絶えず照射される。その結果、照射されたレーザ・ビームは、ＣＤの表面から情報ピットおよびランドの位置と形状に応じた強度変調光ビームとして反射される。このようにして変調された反射光ビームを検出する、光ピックアップ３０によって再生信号が得られる。
【００１５】
再生信号はＲＦアンプ３２に入力される。それによって増幅された後、再生信号は波形ストリングとして出力され、波形等価と弁別プロセス（図示せず）にかけた後、デコーダ３４に入力される。デコーダ３４から、ＣＤに記録された一連のコードの逆変換によって一連のデータが得られ、この一連のデータがＤ／Ａコンバータ（図示せず）によってサウンドまたは他の信号に変換される。
【００１６】
音楽、ピクチャー、文字情報などの情報がディジタル情報の形であるときは、情報の品質は、ディジタル情報伝送に固有の性質により、そのアナログ形に比べて情報のコピーまたは転送時に低下しない。この特徴は、一般に非常に有利なものではあるが、無許可コピーの問題が付随する。
【００１７】
本発明は、内蔵の「ファジー−読取り」検出アルゴリズムによってサポートされている「ファジー−書込み」法と呼ばれる方法を使用して、ＣＤ型の記憶媒体に書き込まれたディジタル情報の不正コピーに関する問題に対処する。通常、ディジタル「０」または「１」が記憶媒体に書き込まれているとき、読取り操作ではエラーのない適切なデータを検索する。読取りエラーが起こった場合、データの読取りおよびデコード中「ノイズ」の結果としてそれが起こるのが普通である。これらの読取りエラーはしばしば特別なエラー訂正コードによって検出および訂正される。良好な読取りおよび書込みプロセスではエラーの確率を最小限に抑えるため、「０」および「１」の書込みおよび読取り信号の信号対ノイズ比を最大にする。
【００１８】
本発明は、無許可の複製を防止しデータの不正コピーを検出するため、エラーまたは「マージナルな」書込みデータの意図的な導入を利用する。これは記憶媒体上の既知の位置またはアドレスに「弱い」０および１ビットを書き込み、読取り操作中に予想されるエラーを検出することによって達成される。予想されるエラーが読取り操作中に所定の位置で検出されなかった場合は、データは無効あるいは不正にコピーされたものである。
【００１９】
ハードウェア／ソフトウェアの説明
「×」と示される「ファジー」１または０が、図５ないし図９に示すように、いくつかの方法の１つでＣＤＲＯＭに書き込まれる。好ましい手順は、「ファジー」ビットが半分の時間に「１」として、また他の半分の時間に「０」として読み取られるように書込みプロセスを変更することである。ＣＤＲＯＭ書込み／読取りプロセスの場合、これはピットおよびランドからの反射レーザ光の量を制御することによって達成できる。
【００２０】
図６および図７において、ピット構造４０は、反射を増大させ、「０」を「１」に見せるように変更される。あるいは、図８および図９において、ランドは、たとえば４２および４４に示すように、少ない光を反射し、「１」を「０」に見せるように変更される。各ピットおよびランドの幅ならびに表面平滑度を変更して、レーザ書込みヘッドから光センサへの反射光の量を制御することができる。この「ファジー」書込みプロセスは、ＣＤＲＯＭ書込み機器またはレーザ・フォト・エッチング機器を使用して行われる。
【００２１】
同様に、これらの「弱く」書き込まれたビットが読み取られた時、デコードされた出力は０または１の何れかである。同じアドレスまたはビットが数回読み取られる場合、０と１の両方が反射光コンパレータによって最終的にデコードされる可能性が高い。「弱い」ビットからの反射信号は、書込み操作中に公称０レベルと１レベルの中間になるように制御することができるので、信号対ノイズ比は大幅に低下し、これにより読取り操作中に「×」が検出される確率が増大する。
【００２２】
ＣＤＲＯＭが不正にコピーされたかどうか判定するためにソフトウェア・アルゴリズムが使用できるのは、この断続的または「ファジー」読取り操作である。上述の典型的なコピー操作では、ソースＣＤＲＯＭからデータを読み取り、それをターゲットＣＤＲＯＭにコピーする。このプロセスでは各０と１を読み取り、それをターゲット・ドライブにコピーする。ＣＤＲＯＭが保護された媒体であり、「弱い」ビットを含む場合、正常な読取り操作では「弱い」ビットは０または１として検出され、「×」以外のどちらか一方がターゲットＣＤＲＯＭに書き込まれる。オリジナルのＣＤＲＯＭと不正なコピーとの間のこの違いは、「弱い」ビットの読取りアルゴリズムによって検出される。基本検出アルゴリズムは、たとえば典型的なＣＤＲＯＭ設計で使用されるエラー検出および訂正方式に組み込むことができる。
【００２３】
コピー保護の実施
上述の基本手法を使用していくつかのコピー保護実施技法が実現されている。たとえば、アプリケーション・ソフトウェア・パッケージがコピー保護されたＣＤＲＯＭで配布されようとしているとする。多数のアドレスが「弱い」ビット・手順を使用して書き込まれ、データ中に埋め込まれている。ＣＤＲＯＭはまたソフトウェア・パッケージに特に合わせたロードおよびインストレーション・パッケージをも含み、このインストレーション・プログラムは「弱い」読取りアルゴリズムも組み込んでいる。
【００２４】
アプリケーション・ソフトウェアのインストレーション中に、このアルゴリズムを呼び出して、ＣＤＲＯＭが所定のアドレスに「弱く」書き込まれたビットを含むかどうかを判定する。これは「×」（すなわち、０と１）が検出されるまでこれらのアドレスのそれぞれを数回読み取ることによって達成される。所定数の試みの後、「×」ビットが検出されなかった場合、インストレーション・プロセスは中断され、そのＣＤＲＯＭは無効データを含むと宣言される。
【００２５】
コピー保護ロード・プログラム
好ましいコピー保護は、ディスクのロード・プログラムをバイパスするためメモリに置かれるように設計された他のプログラムをロード・プログラムの代わりに使用することにより、データの容易なコピーを阻止するように設計された４つの特徴を有する。その目的は、ロード・プログラムをバイパスするための正しい情報を見つけるためにディスクまたはロード・プログラムを読み取る標準のプログラムを考案し難くすることである。これは、ファジー・ビットのアドレスをディスク上の標準の場所またはプログラム中の標準の場所に置かず、ファジー・ビットのアドレスを含む初期化された変数にランダムに選択された名前を与え、ヒット・パーセントを含めることによって達成される。
【００２６】
ロード・プログラムを物理的に読み取り、ファジー・ビットのアドレスを見つけるためのプログラム内の位置を決定することはできるが、これらの位置は各ディスク上の各ロード・プログラムごとに常に変わる。ディスク上の標準の場所にアドレスを置かないことは、ファジー・ビットのアドレスをランダムに選択し、アドレスをプログラムの初期化された変数中に直接ハード・コーディングすることによって達成される。初期化された変数の位置は、プログラムの様々な場所に無害（innocuous）のコードを、またコード中のランダムな場所に無害の初期化された変数をランダムに置くことにより、新しいディスクを作成するたびに変更される。ランダムに命名されたアドレス変数を読み取るコードは、ロード・プログラムがディスク上で生成された時に命令が正しく命名されるので、アドレスを正しく指すことになる。
【００２７】
ヒット・パーセントは、ファジー・ビットが１として読み取られる時間のパーセントである。たとえば、ファジー・ビットは、ヒットのパーセントが１％から９９％となるよう構成することができる。さらに、ヒット・パーセントは、プログラム中のランダムに選択された場所にランダム変数名とともに含まれる。同様に、ヒット・パーセントを読み取るプログラムのセクションは、ロード・プログラムがディスク上で生成された時に正しく命名されるので、正しい変数を指す。
【００２８】
流れ図の説明
図１０を参照すると、ステップ１００で、プログラムはスタートする。ステップ１０１で位置とヒット・パーセントを読み取る。ロード・プログラムはファジー・ビットのアドレスとヒット・パーセントを読み取る。この情報を含むコード中の位置と変数の名前は、可変に生成されている。ステップ１０２で、ファジー・ビットが読み取られる。ロード・プログラムはディスク上でファジー・ビットを読み取るためのアドレスへ行く。ステップ１０３に表すように、１が読み取られた場合、ステップ１０４で、１のアキュムレータへの加算が行われる。このようにして、プログラムは１が登録された回数を記録する。ステップ１０３で１が読み取られない場合、ステップ１０５に表すように、０のアキュムレータの加算が行われ、０が登録される回数を記録する。ステップ１０６で、１が読み取られた回数と、０が読み取られた回数が比較される。ステップ１０７で、１の数がヒット・パーセントの所与の値と比較される。この１の数がヒット・パーセントと等しくない場合、ステップ１０８に表すように、エラー・メッセージが検出される。１の数がヒット・パーセントと等しい場合、テストは正であると見なされ、ロードが行われ、特にデータをメイン・メモリにロードするロード・プログラムの部分が実行される。
【００２９】
本発明は、いくつかの重要な利点をもつ一般的な解決策を与えるため、先に考察した従来技術による方法よりも優れている。たとえば、本発明は比較的容易に実施され、ＣＤＲＯＭの大量生産と両立し、ほとんどフールプルーフなコピー保護を与える。さらに、本発明は追加の配布コストを必要とせず、広い範囲のアプリケーション・ソフトウェア・パッケージに適用でき、ディジタル化オーディオおよびビデオ媒体に拡張できる。
【００３０】
まとめとして、本発明の構成に関して以下の事項を開示する。
【００３１】
（１）ディスクを読み取るため定義された手順とともに使用される、ディスクの無許可コピーを識別しやすくするように、光ディスクを形成する方法であって、
トラックが一連のピットおよびランドを含むように、前記トラックに沿って一連の離隔したピットを形成することにより、ディスク中に、一連の０および１からなるディジタル・データをエンコードするステップであって、前記定義された手順を使用してディスクを読み取る際に、前記ピットおよびランドのそれぞれが０または１として読み取られるステップと、
前記定義された手順を使用してディスクを読み取る際に、ファジー領域が時には０として時には１として読み取られるように、トラック上に少なくとも１つのファジー領域を形成するステップとを含む方法。
（２）前記ピットが第１強度で所与の光ビームを反射し、前記ランドが第２強度で前記所与の光を反射し、前記ファジー領域が前記第１強度と前記第２強度のほぼ中間の第３強度で前記所与の光を反射する、上記（１）に記載の方法。
（３）前記ランドが前記第２強度で前記所与の光を反射するように最低幅を有し、前記ファジー領域が前記第３強度で前記所与の光を反射するように前記最低幅よりも狭い幅を有する、上記（２）に記載の方法。
（４）前記ファジー領域が、前記第３強度で前記所与の光を反射するように、複数の傾斜表面を含む、上記（２）に記載の方法。
（５）前記ファジー領域がトラック上にピットを形成する、上記（１）に記載の方法。
（６）前記ファジー領域がトラック上にランドを形成する、上記（１）に記載の方法。
（７）事前に定義された読込み手順とともに使用される光ディスクであって、
一連のピットおよびランドを含むトラックを定義するデータ媒体であって、ディスクが定義された手順によって読み取られる際に、前記一連のピットおよびランドが０または１として読み取られるデータ媒体と、
トラック上の少なくとも１つのファジー領域であって、前記ファジー領域が前記定義された手順によって読み取られる際に、前記ファジー領域が時には０として時には１として読み取られるファジー領域と、
を備える光ディスク。
（８）前記ピットが第１強度で所与の光ビームを反射し、前記ランドが第２強度で所与の光ビームを反射し、前記ファジー領域が前記第１強度と前記第２強度のほぼ中間の第３強度で所与の光ビームを反射する、上記（７）に記載の光ディスク。
（９）前記ランドが、前記第２強度で前記所与の光ビームを反射するように最低幅を有し、前記ファジー領域が前記第３強度で前記所与の光ビームを反射するように前記最低幅よりも狭い幅を有する、上記（８）に記載の光ディスク。
（１０）前記ファジー領域が、前記第３強度で前記所与の光ビームを反射するように、複数の傾斜表面を含む、上記（８）に記載の光ディスク。
（１１）光ディスクの無許可コピーを識別する方法であって、
トラックが一連の透明ピットと透明ランドを含むように、ディスクの前記トラックに沿って一連の透明ピットを形成することにより、ディスク中に０と１からなるディジタル・データをエンコードするステップと、
前記トラックの所定位置に少なくとも１つのファジー領域を形成するステップであって、前記ディスクが定義された手順によって読み取られる際に、前記透明ピットおよび前記透明ランドがすべて０および１として読み取られ、前記ファジー領域が時には０として時には１として読み取られるステップと、
前記トラックの前記所定位置を複数回読み取るステップを含む、前記定義された手順を使用して、ディスクの可能な無許可コピーを読み取るステップと、
前記定義された手順を使用して、前記所定位置が常に０として読み取られるか、または常に１として読み取られる場合に、前記コピーを無許可と識別するステップと
を含む方法。
（１２）前記エンコード・ステップが、前記透明ピットおよび前記透明ランドが第１強度または第２強度のいずれかで所与の光ビームを反射するように前記透明ピットおよび前記透明ランドを形成するステップを含み、
前記トラックに少なくとも１つのファジー領域を形成する前記ステップが、前記ファジー領域が前記第１強度と前記第２強度の間のほぼ中間である第３強度で前記所与の光ビームを反射するように、前記ファジー領域を形成するステップとを含む、
上記（１１）に記載の方法。
（１３）前記ランドが、前記第２強度で前記所与の光ビームを反射するように最低幅を有し、前記ファジー領域が前記第３強度で前記所与の光ビームを反射するように前記最低幅よりも狭い幅を有する、上記（１２）に記載の方法。
（１４）前記ファジー領域が、前記第３強度で前記所与の光ビームを反射するように、複数の傾斜表面を含む、上記（１２）に記載の方法。
（１５）前記ディスクを読み取るための定義された手順とともに使用される、ディスクの無許可コピーを識別しやすくするように光ディスクを形成する方法であって、
各トラックが一連のピットおよびランドを含むように、各ディスクの前記トラックに沿って一連の離隔したピットを形成することにより、ディスク中に、一連の０および１からなるディジタル・データをエンコードするステップであって、定義された手順を使用してディスクを読み取る際に、前記ピットおよびランドのそれぞれが０または１として読み取られるステップと、
前記定義された手順を使用してディスクを読み取る際に、ファジー領域が時には０として時には１として読み取られるように、各ディスクのトラック上に少なくとも１つのファジー領域を形成するステップと、
各ディスクに、前記ディスクの前記少なくとも１つのファジー領域のアドレスを識別する変数を有するプログラムを与えるステップと、
前記異なるディスク上の前記プログラムの前記変数の位置を変えるステップと
を含む方法。
（１６）各ディスク上に前記変数の名前を与えるステップと、前記異なるディスク上で前記変数の名前を変えるステップをさらに含む、上記（１５）に記載の方法。
（１７）各ディスク上の前記プログラムに、ファジー領域が１として読み取られた回数を示すヒット・パーセント値を与え、前記ディスク上の前記プログラム内における前記ヒット・パーセント値の位置を変えるステップをさらに含む、上記（１５）に記載の方法。
【図面の簡単な説明】
【００３２】
【図１】マスタ・コンパクト・ディスクを記録するための手順を示すブロック図である。
【図２】マスタ・ディスクから作成したコンパクト・ディスクを示す図である。
【図３】マスタ・ディスクから作成したコンパクト・ディスクを示す図である。
【図４】コンパクト・ディスクの読取り方法を示す図である。
【図５】コンパクト・ディスクのコピーを作るための手順を示すブロック図である。
【図６】ファジー読取りを行うようにコンパクト・ディスクを形成する方法を示す図である。
【図７】ファジー読取りを行うようにコンパクト・ディスクを形成する方法を示す図である。
【図８】ファジー読取りを行うようにコンパクト・ディスクを形成する方法を示す図である。
【図９】ファジー読取りを行うようにコンパクト・ディスクを形成する方法を示す図である。
【図１０】ディスクが許可コピーかそれとも無許可コピーかを判定するための手順を示す流れ図である。
【符号の説明】
【００３３】
１２  エンコーダ
１４  フォトモデュレータ
１６  レーザ・ビーム
２０  記録マスタ・ディスク
２２  ＣＤ
２４  ピット
２６  ランド
３０  光ピックアップ
３２  ＲＦアンプ
３４  デコーダ
４０  ピット構造
４２  ランド
４４  ランド
【図１】
2004523856.tif 000003
【図２】
2004523856.tif 000004
【図３】
2004523856.tif 000005
【図４】
2004523856.tif 000006
【図５】
2004523856.tif 000007
【図６】
2004523856.tif 000008
【図７】
2004523856.tif 000009
【図８】
2004523856.tif 000010
【図９】
2004523856.tif 000011
【図１０】
2004523856.tif 000012
【国際公開パンフレット】
2004523856.tif 000013
2004523856.tif 000014
2004523856.tif 000015
2004523856.tif 000016
2004523856.tif 000017
2004523856.tif 000018
2004523856.tif 000019
2004523856.tif 000020
2004523856.tif 000021
2004523856.tif 000022
2004523856.tif 000023
2004523856.tif 000024
2004523856.tif 000025
2004523856.tif 000026
2004523856.tif 000027
2004523856.tif 000028
2004523856.tif 000029
2004523856.tif 000030
2004523856.tif 000031
2004523856.tif 000032
2004523856.tif 000033
2004523856.tif 000034
2004523856.tif 000035
【国際公開パンフレット（コレクトバージョン）】
2004523856.tif 000036
2004523856.tif 000037
【国際調査報告】
2004523856.tif 000038
2004523856.tif 000039